(57)【要約】【課題】モザイク画像を用いた場合に新規な視覚効果を得ることの可能な装飾体を提供する。【解決手段】装飾体１０は、カラー画像Ｃに基づいて生成されたモザイク画像Ｍであって、カラー画像Ｃと同じサイズになるように形成されたモザイク画像Ｍを表示するための表示領域を有する第１部材１１と、表示領域を覆うように形成された透明又は半透明な第２部材１２と、第１部材１１と第２部材１２との間に設けられた第１画像形成部であって、カラー画像Ｃがモザイク画像Ｍと重なるように形成された第１画像形成部と、第１画像形成部と第１部材１１との間に設けられた第２画像形成部であって、カラー画像Ｃが白色で表された白色画像がモザイク画像Ｍと重なるように形成された第２画像形成部と、を備え、白色画像の各部分は、カラー画像Ｃの対応する部分の色の濃度が高いほど白色の濃度が低くなるように形成されている。【選択図】図１
2020029008.tif 000002
【特許請求の範囲】
【請求項１】
カラー画像に基づいて生成されたモザイク画像であって、前記カラー画像と同じサイズになるように形成されたモザイク画像を表示するための表示領域を有する第１部材と、
前記表示領域を覆うように形成された透明又は半透明な第２部材と、
前記第１部材と前記第２部材との間に設けられた第１画像形成部であって、前記カラー画像が前記モザイク画像と重なるように形成された第１画像形成部と、
前記第１画像形成部と前記第１部材との間に設けられた第２画像形成部であって、前記カラー画像が白色で表された白色画像が前記モザイク画像と重なるように形成された第２画像形成部と、を備え、
前記白色画像の各部分は、前記カラー画像の対応する部分の色の濃度が高いほど白色の濃度が低くなるように形成されている、
装飾体。
【請求項２】
前記カラー画像は、色の濃度が元のカラー画像の色の濃度よりも低い状態で前記第１画像形成部に形成されている、請求項１に記載の装飾体。
【請求項３】
前記白色画像は、白色の濃度が元の白色画像の白色の濃度よりも低い状態で前記第２画像形成部に形成されている、請求項１又は２に記載の装飾体。
【請求項４】
前記第１画像形成部及び前記第２画像形成部は前記第２部材上に設けられている、請求項１〜３の何れかに記載の装飾体。
【発明の詳細な説明】
【技術分野】
【０００１】
本発明は、例えば、モザイク画像を有する装飾体に関する。
【背景技術】
【０００２】
従来のかかる装飾体としては、例えば、モザイクプレートが一対のガラス板の間に配置された複層ガラスが知られている（例えば、特許文献１）。特許文献１に記載された技術では、任意の図柄をモザイクで表現したモザイクプレートを立体的に形成するために、市販のブロック玩具が構成要素として用いられている。
【先行技術文献】
【特許文献】
【０００３】
【特許文献１】実用新案登録第３２０２１６３号公報
【発明の概要】
【発明が解決しようとする課題】
【０００４】
特許文献１に記載の技術では、モザイク画像が立体的に見えるという視覚効果が得られるようになっているが、モザイク画像を用いた場合に、かかる視覚効果とは異なる新規な視覚効果を得ることが望まれている。
【０００５】
本発明は上記課題に鑑みてなされたものであり、モザイク画像を用いた場合に新規な視覚効果を得ることの可能な装飾体を提供することを目的とする。
【課題を解決するための手段】
【０００６】
上記課題を解決するために、本発明は、カラー画像に基づいて生成されたモザイク画像であって、前記カラー画像と同じサイズになるように形成されたモザイク画像を表示するための表示領域を有する第１部材と、前記表示領域を覆うように形成された透明又は半透明な第２部材と、前記第１部材と前記第２部材との間に設けられた第１画像形成部であって、前記カラー画像が前記モザイク画像と重なるように形成された第１画像形成部と、前記第１画像形成部と前記第１部材との間に設けられた第２画像形成部であって、前記カラー画像が白色で表された白色画像が前記モザイク画像と重なるように形成された第２画像形成部と、を備え、前記白色画像の各部分は、前記カラー画像の対応する部分の色の濃度が高いほど白色の濃度が低くなるように形成されている、装飾体を提供する（発明１）。
【０００７】
ここで、色の濃度とは、例えば、ある色相における色の明度及び／又は彩度で表されてもよいし、光の反射率等で表されてもよい。例えば、色の明度が高いほど濃度が低く、色の明度が低いほど濃度が高いと想定してもよいし、色の彩度が低いほど濃度が低く、色の彩度が高いほど濃度が高いと想定してもよいし、光の反射率が高いほど濃度が低く、光の反射率が低いほど濃度が高いと想定してもよい。
【０００８】
かかる発明（発明１）によれば、第１部材の表示領域に形成されたモザイク画像に対して白色画像及びカラー画像が重ねられるように設けられているので、例えば、透明又は半透明な第２部材を介して第１部材を見た場合には、モザイク画像を構成する複数の構成要素がカラー画像及び白色画像を介して透けて見えるようになる。ここで、カラー画像のうち色の濃度が低い部分は、色の濃度が高い部分と比較して、モザイク画像の構成要素が透け易く（見え易く）なるが、かかる発明（発明１）によれば、白色画像の各部分は、カラー画像の対応する部分の色の濃度が高いほど白色の濃度が低くなるように形成されているので、白色画像のうち白色の濃度が低い部分（カラー画像のうち色の濃度が高い部分に対応する部分）では、白色の濃度が高い部分（カラー画像のうち色の濃度が低い部分に対応する部分）と比較して、モザイク画像の構成要素が透け易くなる。これにより、カラー画像の各部分の色の濃淡にかかわらず、カラー画像に重ねられたモザイク画像の各構成要素が全体的に均一に透けて見えるようになるという新規な視覚効果を得ることができる。
【０００９】
上記発明（発明１）においては、前記カラー画像は、色の濃度が元のカラー画像の色の濃度よりも低い状態で前記第１画像形成部に形成されていてもよい（発明２）。
【００１０】
かかる発明（発明２）によれば、例えば、元のカラー画像が第１画像形成部に形成されている場合と比較してカラー画像の透明性を高めることができるので、カラー画像に重ねられたモザイク画像の各構成要素をより見え易くすることが可能になる。
【００１１】
上記発明（発明１〜２）においては、前記白色画像は、白色の濃度が元の白色画像の白色の濃度よりも低い状態で前記第２画像形成部に形成されていてもよい（発明３）。
【００１２】
かかる発明（発明３）によれば、例えば、元の白色画像が第２画像形成部に形成されている場合と比較して白色画像の透明性を高めることができるので、白色画像に重ねられたモザイク画像の各構成要素をより見え易くすることが可能になる。
【００１３】
上記発明（発明１〜３）においては、前記第１画像形成部及び前記第２画像形成部は前記第２部材上に設けられていてもよい（発明４）。
【００１４】
かかる発明（発明４）によれば、第１画像形成部及び第２画像形成部を第２部材上に一体に設けることができるので、各画像形成部の管理性を向上させることができる。
【発明の効果】
【００１５】
本発明の装飾体によれば、モザイク画像を用いた場合に新規な視覚効果を得ることができる。
【図面の簡単な説明】
【００１６】
【図１】本発明の一実施形態に係る装飾体の基本構成を概略的に示す図である。
【図２】第１画像形成部及び第２画像形成部の配置例を説明するための図である。
【図３】カラー画像の色の濃度を低減した場合の一例を説明するための図である。
【図４】（ａ）は元のカラー画像の一例を示す図であり、（ｂ）及び（ｃ）は白色画像の一例を示す図である。
【図５】第２部材を第１部材に取り付けた場合の一例を示す図である。
【図６】変形例における第１画像形成部及び第２画像形成部の配置例を説明するための図である。
【発明を実施するための形態】
【００１７】
以下、本発明の一実施形態について添付図面を参照して詳細に説明する。ただし、この実施形態は例示であり、本発明はこれに限定されるものではない。
【００１８】
図１は、本発明の一実施形態に係る装飾体の基本構成を概略的に示す図であり、図２は、第１画像形成部及び第２画像形成部の配置例を説明するための図であり、図３は、カラー画像の色の濃度を低減した場合の一例を示す図であり、図４（ａ）は元のカラー画像の一例を示す図であり、図４（ｂ）及び図４（ｃ）は白色画像の一例を示す図であり、図５は、第２部材を第１部材に取り付けた場合の一例を示す図である。本実施形態に係る装飾体１０は、図１及び図２に示すように、第１部材１１と、第２部材１２と、第１部材１１と第２部材１２との間に設けられた第１画像形成部１３と、第１画像形成部１３と第１部材１１との間に設けられた第２画像形成部１４と、を備えている。
【００１９】
第１部材１１は、板状に形成されており、第１部材１１の主表面（表面のうち最も面積の大きい主要な表面であって、図１の例では、第１部材１１の幅方向（図中Ｘ方向）及び長さ方向（図中Ｚ方向）に沿って延在する表面）には、モザイク画像Ｍを表示するための表示領域が設けられている。第１部材１１は、例えば、木材、粘土、樹脂、磁石、金属等を材料として構成されてもよい。また、第１部材１１は、表示領域が設けられていれば、如何なる形状を有してもよい。さらに、第１部材１１は、例えば、モザイク画像Ｍを表示するための表示画面を備えたモニタ装置であってもよい。
【００２０】
モザイク画像Ｍは、カラー画像Ｃに基づいて（カラー画像Ｃを模して）生成されており、カラー画像Ｃと同じサイズになるように形成されている。モザイク画像Ｍは、表面が着色された複数の構成要素によって構成されており、本実施形態では、表示領域の幅方向（図中Ｘ方向）及び長さ方向（図中Ｚ方向）に沿う格子状に配列された、表面の色がそれぞれ異なる複数種類（図の例では、表面に「Ａ」、「Ｂ」又は「Ｃ」が表記された３つの種類）の切手をモザイク画像の構成要素として用いた場合を一例として説明する。なお、構成要素は、例えば、ペットボトル等の飲料容器の蓋（キャップ）であってもよいし、写真や絵画等の画像であってもよいし、紙片や磁石等であってもよいし、モニタ装置の表示画面を構成する画素であってもよい。
【００２１】
また、本実施形態では、モザイク画像Ｍの複数の構成要素（切手）の各々が同じサイズに形成されている場合を一例として説明するが、各構成要素は、異なるサイズに形成されていてもよい。さらに、本実施形態では、モザイク画像Ｍの複数の構成要素（切手）の各々が平面視略矩形状に形成されている場合を一例として説明するが、各構成要素は、平面視略多角形（例えば、三角形や六角形等）状に形成されていてもよいし、平面視略円形状に形成されていてもよい。さらにまた、本実施形態では、モザイク画像Ｍの複数の構成要素（切手）の各々が表示領域の幅方向（図中Ｘ方向）及び長さ方向（図中Ｚ方向）に沿う格子状に配列されている場合を一例として説明するが、各構成要素は、所定方向に沿って配列されることなく任意の位置に配置されてもよい。
【００２２】
第２部材１２は、透明又は半透明な部材であり、幅方向（図中Ｘ方向）及び長さ方向（図中Ｚ方向）に延在する板状に形成されている。また、第２部材１２の主表面のサイズ（幅方向（図中Ｘ方向）及び長さ方向（図中Ｚ方向）の寸法）は、第１部材１１の表示領域のサイズ（幅方向（図中Ｘ方向）及び長さ方向（図中Ｚ方向）の寸法）以上に形成されており、これにより、第２部材１２を第１部材１１に取り付けた場合に、第１部材１１の表示領域が第２部材１２の主表面によって覆われるようになっている。なお、第２部材１２は、第１部材１１の表示領域を覆うことが可能であれば、如何なる形状を有してもよい。
【００２３】
第２部材１２は、例えば、強化ガラス、サファイアガラス、ソーダガラス等からなるガラス板、又は、ポリカーボネート（ＰＣ）、ポリエチレンテレフタレート（ＰＥＴ）、ポリエチレンナフタレート（ＰＥＮ）、アクリル樹脂等からなる樹脂シート若しくはそれら樹脂シートの積層体等から構成されてもよい。これらの材料を用いて第２部材１２が構成されることによって、モザイク画像Ｍ及びカラー画像Ｃを第２部材１２を介して視認することができるとともに、モザイク画像Ｍ及びカラー画像Ｃを第２部材１２によって保護することができる。これにより、例えば、装飾体１０を額装する場合には、装飾体１０を保護するための透明又は半透明なカバー部材（例えばガラス板等）を別途設ける必要がなくなることから、額装品の製造コストが増大するのを抑制することができる。また、第２部材１２の厚さ（図中Ｙ方向の寸法）は、適宜設定され得るが、例えば３ｍｍ程度であってもよい。
【００２４】
第１画像形成部１３は、例えば模様や図柄等のカラー画像Ｃが形成されるように構成されており、例えば、複数の色の光透過性インクを用いてオフセット印刷、グラビア印刷、スクリーン印刷、インクジェット印刷等の印刷を行うことによって、図２に示すように第２部材１２の裏側（第１部材１１側）の主表面に設けられている。カラー画像Ｃは、モザイク画像Ｍと同じサイズになるように形成されており、第２部材１２を第１部材１１に取り付けた場合にモザイク画像Ｍと重なるようになっている。
【００２５】
カラー画像Ｃは、模様や図柄に限られず如何なるものの画像であってもよいが、例えば、漫画、ゲーム、映画、テレビ番組等のキャラクタやアイテム等の画像であってもよいし、風景、写真、映像内の所定のシーン等の画像であってもよい。また、キャラクタとは、例えば現実世界に存在するもの（例えばスポーツ選手、芸能人、動物等）、現実世界に存在するものを模したもの、又は、漫画、ゲーム、映画、テレビ番組等に登場する人物、生物若しくはモンスター等であってもよい。
【００２６】
なお、カラー画像Ｃは、図３に示すように、色の濃度が元のカラー画像ＯＲの色の濃度よりも低い状態で第１画像形成部１３に形成されてもよい。この場合、例えば、元のカラー画像ＯＲが第１画像形成部１３に形成されている場合と比較してカラー画像Ｃの透明性を高めることができるので、カラー画像Ｃをモザイク画像Ｍに重ねた場合に、カラー画像Ｃに重ねられたモザイク画像Ｍの各構成要素をより見え易くすることが可能になる。
【００２７】
ここで、色の濃度とは、例えば、ある色相における色の明度及び／又は彩度で表されてもよいし、光の反射率等で表されてもよい。例えば、色の明度が高いほど濃度が低く、色の明度が低いほど濃度が高いと想定してもよいし、色の彩度が低いほど濃度が低く、色の彩度が高いほど濃度が高いと想定してもよいし、光の反射率が高いほど濃度が低く、光の反射率が低いほど濃度が高いと想定してもよい。
【００２８】
カラー画像Ｃが元のカラー画像ＯＲよりも色の濃度が低い状態で第１画像形成部１３に形成される場合には、カラー画像Ｃの各部分の色の濃度は、例えば、元のカラー画像ＯＲの各部分の色の濃度を１００％とした場合に、５０％以上８０％以下であってもよく、より好ましくは６０％以上７０％以下であってもよい。
【００２９】
なお、カラー画像Ｃが元のカラー画像ＯＲよりも色の濃度が低い状態で第１画像形成部１３に形成される場合には、モザイク画像Ｍは、色の濃度が元のカラー画像ＯＲの色の濃度と同じになるように形成されてもよい。
【００３０】
第２画像形成部１４は、カラー画像Ｃが白色で表された白色画像Ｗ（図４に示す）が形成されるように構成されており、例えば、白色の光透過性インクを用いてオフセット印刷、グラビア印刷、スクリーン印刷、インクジェット印刷等の印刷を行うことによって、図２に示すように第１画像形成部１３上に設けられている。白色画像Ｗは、モザイク画像Ｍと同じサイズになるように形成されており、第２部材１２を第１部材１１に取り付けた場合にモザイク画像Ｍと重なるようになっている。
【００３１】
ここで、白色画像Ｗの各部分は、カラー画像Ｃの対応する部分の色の濃度が高いほど白色の濃度が低くなるように形成されている。図４を参照して説明すると、図４（ａ）に一例として示す元のカラー画像ＯＲの色の濃度は、中央部の第１四角形が最も高く、第１四角形の各頂点に接する菱形（第１四角形との重複部分を除く）が次に高く、菱形の各頂点に接する第２四角形（菱形との重複部分を除く）が最も低くなっている。ここで、白色画像Ｗの各部分の白色の濃度は、図４（ａ）に示す元のカラー画像ＯＲを白黒反転させたときの画像の色の濃度に応じて設定されてもよい。すなわち、白色画像Ｗの各部分の白色の濃度は、図４（ｂ）に示すように、第１四角形が最も低く、菱形（第１四角形との重複部分を除く）が次に低く、第２四角形（菱形との重複部分を除く）が最も高くなる。
【００３２】
なお、白色画像Ｗは、図４（ｃ）に示すように、白色の濃度が元の白色画像Ｗ（ここでは、図４（ｂ）に示す白色画像Ｗ）よりも低い状態で第２画像形成部１４に形成されてもよい。この場合、例えば、元の白色画像Ｗが第２画像形成部１４に形成されている場合と比較して白色画像Ｗの透明性を高めることができるので、白色画像Ｗをモザイク画像Ｍに重ねた場合に、白色画像Ｗに重ねられたモザイク画像Ｍの各構成要素をより見え易くすることが可能になる。
【００３３】
白色画像Ｗが元の白色画像Ｗよりも白色の濃度が低い状態で第２画像形成部１４に形成される場合には、白色画像Ｗの各部分の色の濃度は、例えば、元の白色画像Ｗの各部分の色の濃度を１００％とした場合に、５％以上４０％以下であってもよく、より好ましくは１５％以上３０％以下であってもよい。
【００３４】
以上のように構成された装飾体１０に関して、図５に示すように、第２部材１２を第１部材１１に取り付けた場合には、モザイク画像Ｍと、カラー画像Ｃ及び白色画像Ｗと、が互いに重なった状態になる。ここで、透明又は半透明な第２部材１２を介して第１部材１１を見た場合には、モザイク画像Ｍを構成する複数の構成要素がカラー画像Ｃ及び白色画像Ｗを介して透けて見えるようになる。ここで、カラー画像Ｃのうち色の濃度が低い部分（第２四角形（菱形との重複部分を除く）に対応する部分）は、色の濃度が高い部分（第１四角形に対応する部分）と比較して、モザイク画像Ｍの構成要素が透け易く（見え易く）なるが、本実施形態に係る装飾体１０によれば、白色画像Ｗの各部分は、カラー画像Ｃの対応する部分の色の濃度が高いほど白色の濃度が低くなるように形成されているので、白色画像Ｗのうち白色の濃度が低い部分（第１四角形に対応する部分）では、白色の濃度が高い部分（第２四角形（菱形との重複部分を除く）に対応する部分）と比較して、モザイク画像Ｍの構成要素が透け易くなる。これにより、カラー画像Ｃの各部分の色の濃淡にかかわらず、カラー画像Ｃに重ねられたモザイク画像Ｍの各構成要素が全体的に均一に透けて見えるようになるという新規な視覚効果を得ることができる。
【００３５】
また、本実施形態に係る装飾体１０では、第１画像形成部１３及び第２画像形成部１４が第２部材１２上に設けられているので、第１画像形成部１３及び第２画像形成部１４を第２部材１２上に一体に設けることができ、各画像形成部１３，１４の管理性を向上させることができる。
【００３６】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００３７】
上記実施形態では、第１画像形成部１３及び第２画像形成部１４が第２部材１２上に設けられている場合を一例として説明したが、この場合に限られない。例えば、第１画像形成部１３及び第２画像形成部１４の各々は、図６に示すように、第２部材１２とは異なる個別の透明又は半透明の部材１５，１６上に設けられてもよいし、各部材１５，１６の何れか一方に一体に設けられてもよい。
【産業上の利用可能性】
【００３８】
本発明の装飾体は、モザイク画像を用いた場合に新規な視覚効果を得ることができるので、その産業上の利用可能性は極めて大きい。
【符号の説明】
【００３９】
１０…装飾体
１１…第１部材
１２…第２部材
１３…第１画像形成部
１４…第２画像形成部
Ｃ…カラー画像
Ｍ…モザイク画像
Ｗ…白色画像
ＯＲ…元のカラー画像
【図１】
2020029008.tif 000003
【図２】
2020029008.tif 000004
【図３】
2020029008.tif 000005
【図４】
2020029008.tif 000006
【図５】
2020029008.tif 000007
【図６】
2020029008.tif 000008